(57)【要約】【課題】  従来のパチスロでは灰皿が配置されていたスペースを有効活用することにより、少量のメダルを容易に計数できるようにしたスロットマシンを提供する。【解決手段】  スロットマシンＳＭのメダル受け皿（受け皿本体１０）の近傍に、メダルＭＤを積層してメダル数を計数するメダル計数手段（メダル計数ユニット３０）を備えた構成としてある。このようにすれば、少量のメダルを容易に計数できるとともに、メダル計数ユニット３０を装着する箇所は、従来は灰皿を配置していた箇所なので、灰皿を使用しない場合に、そのスペースを有効活用することができる。【選択図】    図１
2005080966.tif 000002
【特許請求の範囲】
【請求項１】
スロットマシンのメダル受け皿の近傍に、メダルを積層してメダル数を計数するメダル計数手段を備えた
ことを特徴とするスロットマシン。
【請求項２】
請求項１のスロットマシンにおいて、
前記メダル計数手段は、当該スロットマシン本体に対して、回転又は回動可能であり、該回転又は回動により前記積層したメダルを落下させる
ことを特徴とするスロットマシン。
【請求項３】
請求項１または請求項２記載のスロットマシンにおいて、
前記メダル計数手段は、メダルを重ねて横方向に並べる横重ね式である
ことを特徴とするスロットマシン。
【請求項４】
請求項１または請求項２記載のスロットマシンにおいて、
前記メダル計数手段は、メダルを上方向又は斜め上方向に積み重ねる積重ね式である
ことを特徴とするスロットマシン。
【請求項５】
請求項１〜請求項４のいずれかに記載のスロットマシンにおいて、
前記メダル計数手段は、当該スロットマシン本体に対して脱着可能である
ことを特徴とするスロットマシン。
【請求項６】
請求項５記載のスロットマシンにおいて、
前記メダル計数手段を当該スロットマシン本体から外した場合に、代わりに脱着可能な灰皿手段を取り付ける
ことを特徴とするスロットマシン。
【発明の詳細な説明】
【技術分野】
【０００１】
本発明は、スロットマシンに関し、特に、従来灰皿が配置されていたスペースを有効活用することにより、少量のメダルを容易に計数できるようにしたスロットマシンに関する。
【背景技術】
【０００２】
スロットマシンは、一般に、遊技者が遊技用のメダルを投入してスタートレバーを押下することにより、図柄を表示した複数の回胴（通常は三つの回胴）が回転を開始し、続いて遊技者が任意のタイミングでストップボタンを押すと各回胴が順次停止し、停止した回胴の図柄の配列によって各種入賞が決定され、この入賞内容に応じて、メダルの払い出しや入賞確率の高く設定されたゲームへの移行などが行われる遊技機である。
【０００３】
このスロットマシンは、図１０に示すように、スロットマシン本体部ＳＨと前面パネル部ＦＰとを備えてなる。
スロットマシン本体部ＳＨは、その内部に、回胴ドラムやホッパータンク等（これら図示省略）を備えている。
前面パネル部ＦＰは、受け皿部１１０、回胴ドラム表示部１２０、操作部１３０等とを備えている。
【０００４】
受け皿部１１０は、メダルを貯める箱状の受け皿本体１１１と、灰皿１１２とを備えている。
１１３はメダルの払出口である。
操作部１３０は、メダル投入口１３１と、メダルＢＥＴスイッチ１３２と、スタートレバー１３３と、ストップスイッチ１３４（１３４ａ，１３４ｂ，１３４ｃ）とを備えている。
メダルＢＥＴスイッチ１３２は、制御手段の記憶部（図示省略）に蓄積されている貯留メダルを用いてゲームが行われる場合に使用するものであり、このメダルＢＥＴスイッチの押下回数と同数が、ゲームに賭けられる貯留メダルの投資枚数となる。
【０００５】
スタートレバー１３３は、メダルが賭けられた後、回胴ドラムの回転を開始するためのレバーである。
ストップスイッチ１３４ａ〜１３４ｃは、回胴ドラムと同数設けられ、対応する回胴ドラム回転を停止する。
【０００６】
そして、遊技の開始に先立ち、遊技者によってメダル投入口１３１にメダルが投入され、スタートレバー１３３が操作されると、各回胴ドラムは回転を開始する。これに続く遊技者による各ストップスイッチ１３４ａ〜１３４ｃの操作により、各回胴ドラムの回転は停止する。
【０００７】
停止時に回胴ドラム表示部１２０に表示される図柄の組み合わせにより、入賞か否かが決定される。入賞した場合には、前面パネル部ＦＰの下方にある払出口１１３から受け皿本体１１１に入賞役に応じた枚数のメダルが払い出される。
なお、受け皿本体１１１には、隣接してタバコの灰や吸殻が捨てられる灰皿１１２が設けてある。
【０００８】
ところで、従来のスロットマシンＳＭでは、払い出されたメダルは、受け皿本体１１１の底面にほぼ平行な状態で払出口１１３から払い出され、受け皿本体１１１の平坦な底面に横倒し状態になる。そして、払出口１１３から次に払い出される新たなメダルは、既に横倒しになったメダルに積み重なって横倒しになる。従って、従来、払出口１１３から払い出されたメダルは、受け皿本体１１１に山積み状態になっていく。
【０００９】
この山積み状態のため、従来のスロットマシンＳＭでは、山の下の方にあるメダルが見えず、遊技者は、その時に所持しているメダルの枚数を直ちに把握することが出来ない。その結果、遊技者はメダルを景品交換する適切な時期を見誤ることがあった。
【００１０】
かかる問題点の改善策として、図１１（Ａ）〜（Ｅ）に示した技術が提案されている（例えば、特許文献１参照。）。
即ち、同図（Ａ）〜（Ｅ）に示すように、受け皿２２２には３列の溝２２２ａが設けられており、払出口２１０から払い出されたメダル２２３は、遊技者により、この溝２２２ａに整然と整列させることができる。従って、全てのメダル２２３が視認され、メダル２２３の枚数は数え易くなる。この際、１列の溝２２２ａに並べることが可能なメダル枚数を予め把握しておけば、所持メダル枚数はさらに把握し易くなる。
【００１１】
また、従来のスロットマシンの受け皿は、スロットマシン本体に固定されている。この固定受け皿では、メダルが無造作に貯められており、しかも、固定受け皿の底面は平らであるため、ばらばらのメダルを掴み難かった。このため、遊技者は、その固定受け皿からメダルを取り出してメダル投入口に入れる際、固定受け皿の周壁の隅角等にメダルを寄せ集め、その隅角等の高さ方向に沿ってメダルをすくい上げ、このすくい上げた数枚乃至１０数枚のメダルを左の手のひら上に乗せ、それらメダルを重ねながら一列に並べ直し、右手指先でその一列のメダル全体をつかんでメダル投入口に乗せ一枚一枚投入していた。このように、固定受け皿からメダルを取り出してメダル投入口に入れるまでに相当時間がかかって不便であった。
さらに、遊技者が皆同じように固定受け皿の周壁の隅角等を利用してメダルを掴むので、繰り返し掻き上げされるうちにメッキされている固定受け皿の内面が剥げてしまい、固定受け皿の体裁が悪くなる等の問題があった。
【００１２】
かかる問題点の改善策として、図１２（Ａ），（Ｂ）に示した技術が提案されている（例えば、特許文献２参照。）。
即ち、同図（Ａ），（Ｂ）に示すように、スロットマシンの固定受け皿３０１に嵌めうる大きさの皿体３０２で、該皿体３０２の底面一側に、底面に連続して複数枚のメダル３０３を重ねて並べて収容しうる凹状のメダル収容部３０４を形成したものである。
【００１３】
このようにすれば、固定受け皿３０１に皿体３０２を脱着可能に載せ、ゲーム時に払出されたメダル３０３を底面一側に設けたメダル収容部３０４に掻き上げて並べ、メダル３０３を掴み易くすることができる。また、皿体３０２は交換可能なので、皿体３０２が見苦しくなれば、新品に交換できる。
【特許文献１】特開平１１−１１４１４１号公報
【特許文献２】特開平１１−４３０号公報
【発明の開示】
【発明が解決しようとする課題】
【００１４】
ところで、大量のメダルを獲得し、受け皿本体が一杯になった場合に、遊技客によっては最小限のメダル（夕食代や帰宅用の電車賃に相当するメダルであり、例えば１０００円分）を確保しておき、その他のメダルを更に遊技に使用したい、という場合がある。なお、現在のメダルと現金の交換比率では、メダル５０枚が１０００円に相当する。
【００１５】
しかしながら、前記特許文献１の技術では、一列の溝２２２ａに１００枚のメダルを詰めるとして、３列では３００枚となる。従って、前述のように５０枚だけを確保するためには、遊技客は、受け皿２２２の中のメダルをつまみ出して数えねばならず、面倒であった。
【００１６】
また、前記特許文献２の技術では、皿体３０２を別途用意しておく必要があるので、保守の面で面倒である。さらに、図１２（Ｂ）に示した方法でメダルをつまみ出すので、正確な枚数（例えば、５０枚）とするためには、メダル収容部３０４のメダル数を遊技客が数える必要があり、面倒であった。
【００１７】
また、近年、禁煙する人が増えており、パチスロホールにおいても、禁煙席を設ける場合がある。この禁煙席のパチスロでは、図１０に示した灰皿１１２は不要であった。
さらに、最近ではパチスロに付属した灰皿１１２を使用せずに、パチスロ席の近くに、灰や吸殻の自動回収が可能な別の灰皿を設置するケースが増えている。この場合にも、灰皿１１２は不要であった。
【００１８】
即ち、最近のパチスロで遊技する場合には、灰皿１１２を使用しないケースが増えているが、灰皿１１２のスペースが有効活用されていないと言えた。
なお、前記特許文献１および特許文献２には、払い出されたメダルの枚数を数える場合に、灰皿のスペースを活用するという思想は、開示されていない。
【００１９】
本発明は、上記の問題を解決すべくなされたものであり、従来のパチスロでは灰皿が配置されていたスペースを有効活用することにより、少量のメダルを容易に計数できるようにしたスロットマシンの提供を目的とする。
【課題を解決するための手段】
【００２０】
この目的を達成するために本発明のスロットマシンは、スロットマシンのメダル受け皿（図１，図７の受け皿本体１０）の近傍に、メダルを積層してメダル数を計数するメダル計数手段（メダル計数ユニット３０または５０）を備えた構成としてある。
【００２１】
この構成を図示すると、例えば、図１、図２、図３（Ａ），（Ｂ）、図７〜図９に示すようになる。このようにすれば、メダル計数ユニット３０または５０を装着する箇所は、従来は灰皿を配置していた箇所なので、灰皿を使用しない場合に、そのスペースを有効活用することができる。また、遊技客は自己のパチスロ席に座ったまま、メダルを計数することができる。
【００２２】
また、本発明のスロットマシンは、請求項１のスロットマシンにおいて、メダル計数手段（メダル計数ユニット３０または５０）が、当該スロットマシン本体に対して、回転又は回動可能であり、該回転又は回動により積層したメダルを落下させる構成としてある。
【００２３】
この構成を図示すると、例えば、図６に示すようになる。このようにすれば、メダル計数ユニット３０または５０に積層したメダル（図示省略）を、確実に落下させることができる。これにより、遊技者は、複数のメダルを並べられた状態で容易に取り出すことができる。
また、予め積層可能なメダルの枚数を決めておけば、常に一定数の少数のメダルを確保することができる。
【００２４】
また、本発明のスロットマシンは、請求項１または請求項２記載のスロットマシンにおいて、メダル計数手段が、メダルを重ねて横方向に並べる横重ね式（図３（Ａ），（Ｂ）のメダル計数ユニット３０）である構成としてある。
【００２５】
この構成を図示すると、例えば、図３（Ａ），（Ｂ）に示すようになる。このようにすれば、遊技客がメダルを第１，第２の計数凹部３１，３２に並べながら載置していった場合に、一目でメダルの量（枚数）を知ることができる。
【００２６】
また、本発明のスロットマシンは、請求項１または請求項２記載のスロットマシンにおいて、メダル計数手段が、メダルを上方向又は斜め上方向に積み重ねる積重ね式（図７〜図９のメダル計数ユニット５０）である構成としてある。
【００２７】
この構成を図示すると、例えば、図７〜図９に示すようになる。このようにすれば、積み上げられたメダルの高さ（あるいは、上化粧板部５４から最上位のメダルまでの深さ）により、そのメダルの枚数を知ることができる。
さらに、第１，第２の積重ね孔５１，５２がメダルで満杯になっても、最上位のメダルは上化粧板部５４の上面に一致するので、コップ等をメダル計数手段の上に置くことができる。
【００２８】
また、本発明のスロットマシンは、請求項１〜請求項４のいずれかに記載のスロットマシンにおいて、メダル計数手段が、当該スロットマシン本体に対して脱着可能である構成としてある。
【００２９】
この構成を図示すると、例えば、図１、図２、図３（Ａ），（Ｂ）、図７〜図９に示すようになり、たとえば支持ピン３６の挿脱により、メダル計数ユニットを脱着可能となる。従って、計数手段として、積重ね式または横重ね式の何れをも、使用することができる。
【００３０】
また、本発明のスロットマシンは、請求項５記載のスロットマシンにおいて、メダル計数手段を当該スロットマシン本体から外した場合に、代わりに脱着可能な灰皿手段（図５（Ａ），（Ｂ）の灰皿ユニット４０）を取り付ける構成としてある。
【００３１】
この構成を図示すると、例えば、図１、図２、図５（Ａ），（Ｂ）に示すようになる。このようにすれば、スロットマシンホールの事情に応じて、スロットマシンにメダル計数手段（図３のメダル計数ユニット３０または図７〜図９のメダル計数ユニット５０）を装着したり、或いは灰皿ユニット４０を装着したりすることができる。
【発明の効果】
【００３２】
本発明によれば、スロットマシンにメダル計数手段を設けることで、容易にメダルの量（枚数）を計数・把握できる。
特に、小型のメダル計数手段を設けることで、少量のメダルの計数が可能となる。このため、少量のメダルを別個に確保しておきたい場合に、簡便に利用できる。
【００３３】
また、メダル計数手段を横重ね式（メダルを重ね合わせながら横方向に並べて載置する形式のもの）とすることで、遊技客がメダルを載置して並べていった場合に、その並べられた列の長さにより、一目でメダルの量を知ることができる。
さらに、メダル計数手段を積重ね式（メダルを重ね合わせながら上方向又は斜め上方向に積み重ねていく形式のもの）とすることで、遊技客がメダルを積み重ねていった場合に、その積み上げられた高さにより、一目でメダルの量を知ることができる。
【００３４】
しかも、メダル計数手段を、直径がメダルの直径より若干大きな円筒形の穴で形成し、その円筒形状内にメダルを積層していく構成とすることで、そのメダルの高さ（あるいは、その円筒形入口からメダルの最上面までの深さ）により、一目でメダルの量を知ることができる。
加えて、円筒形状で形成されたメダル計数手段がメダルで満杯になっても、コップ等をメダル計数手段の上に置くことができる。
【００３５】
また、メダル計数手段を装着する箇所を、従来灰皿が配置されていた箇所とすることで、灰皿を使用しない場合に、そのスペースを有効活用することができる。
さらに、メダル計数手段を、当該スロットマシン本体に対して、回転又は回動可能とすることで、メダル計数手段に積層したメダルを、一列に並べられた状態で、確実かつ容易に落下させることができる。
【００３６】
しかも、メダル計数手段を、当該スロットマシン本体に対して脱着可能とすることで、メダル計数手段として、横重ね式または積重ね式の何れをも、使用することができる。
さらに、メダル計数手段を当該スロットマシン本体から外した場合に、代わりに脱着可能な灰皿手段を取り付ける構成としてあるので、スロットマシンホールの事情に応じて、スロットマシンにメダル計数手段を装着したり、灰皿手段を装着することができる。
【発明を実施するための最良の形態】
【００３７】
従来のスロットマシンの灰皿が配置されていたスペースに、メダル計数ユニットを脱着可能に取り付ける（図１、図２、図３（Ａ），（Ｂ））。メダル計数ユニットは、下方から遊技客の指で押し回すことにより、メダルを取り出せる（図６）。メダル計数ユニットにはメダルを重ね合わせながら横方向に並べていく横重ね式（実施形態１）（図３（Ａ），（Ｂ））と、メダルを重ね合わせながら上方向又は斜め上方向に積み上げていく積重ね式（実施形態２）（図７〜図９）とがある。
【００３８】
［実施形態１］
以下、本実施形態のスロットマシンを、図１〜図６を参照して説明する。
なお、既に説明済みの部分には同一符号を付し、重複説明を省略する。
図１は、横重ね式のメダル計数ユニットを装着した本実施形態のスロットマシンの要部斜視図である。
図２は、ユニット取付枠部の拡大斜視図である。
【００３９】
図３は、本実施形態における、横重ね式のメダル計数ユニットを示す図であって、（Ａ）は平面図、（Ｂ）は側面図である。
図４は、本実施形態で使用する、支持ピンの側面図である。
図５は、本実施形態で使用する、灰皿ユニットを示す図であって、（Ａ）は平面図、（Ｂ）は側面図である。
図６は、メダル計数ユニットを回転又は回動させてメダルを取り出す方法を示す概念図である。
【００４０】
図１及び図２に示すように、スロットマシンＳＭの手前側下部に設けた受け皿部ＵＰは、受け皿本体１０と、ユニット取付枠部２０と、横重ね式のメダル計数ユニット３０とを備えてなる。
受け皿本体１０は、従来例の受け皿本体１１１（図１０）と同じ形状，寸法である。
【００４１】
ユニット取付枠部２０は、左の第１の側壁２１，右の第２の側壁２２の内側に、Ｕ字状の内枠２３を備えてなる。第２の側壁２２は、受け皿本体１０の側壁を兼ねている。第１，第２の側壁２１，２２には、図４に示した支持ピン３６のネジ部３６ａを螺入するネジ孔３７が螺設してある。
３６ｂは平滑部であり、メダル計数ユニット３０の支持穴３５（図３（Ｂ））に挿入し、メダル計数ユニット３０を回転又は回動可能に支持する（後述）。
そして、図６に示すように、内枠２３の上角部には、メダル計数ユニット３０の掛止突起３４ａを受け止める受け部２３ａが形成してある（後述）。
【００４２】
図３（Ａ），（Ｂ）に示すように、横重ね式のメダル計数ユニット３０は、平面形状が略矩形（たとえば、正方形など）に形成されており、第１の計数凹部３１と、第２の計数凹部３２と、手前化粧板部３３と、上化粧板部３４とを備えてなる。
第１の計数凹部３１又は第２の計数凹部３２には、横方向に重ねて並べられた複数のメダルＭＤがそれぞれ載置される。なお、それら計数凹部３１，３２には、一枚のメダルＭＤをそれぞれ載置することもできる。
これら計数凹部３１，３２は、それぞれ同一形状（同一寸法）とすることができる。
【００４３】
それら第１及び第２の計数凹部３１，３２の寸法関係を説明する。
各計数凹部３１，３２の長さＬは、メダルＭＤの厚さに所定枚数を乗じた長さ（たとえば、厚み１．６ｍｍのメダルＭＤを２５枚横重ねしたときの長さ４０ｍｍなど）とすることができる。
また、各計数凹部３１，３２の幅Ｗは、載置された状態でメダルＭＤが安定する幅（例えば、メダルＭＤの直径（通常は、２５ｍｍ）など）とすることができる。
【００４４】
各計数凹部３１，３２の深さＤは、メダルＭＤが安定した状態で載置できる程度の任意の深さであればよい。具体的には、たとえば、メダルＭＤの半径である１２．５ｍｍとすることができる。
計数凹部３１，３２の幅方向の断面形状は、たとえば、半円状，Ｕ字形状，上弦形状，矩形状，三角形状（Ｖ字形状を含む），多角形状などとすることができる。
【００４５】
各計数凹部３１，３２には、それぞれ２５枚ずつのメダルＭＤを載せることができる。このため、メダル計数ユニット３０全体としては５０枚のメダルＭＤを載せることができる。なお、通常、メダル５０枚は１０００円に相当する。
【００４６】
各計数凹部３１，３２には、メダルＭＤの枚数を一見してわかるように、目盛りを付すこともできる。
この目盛りは、所定枚数（一枚又は二枚以上）ごとに付すことができる。また、枚数を示す数字を添えることもできる。
【００４７】
さらに、目盛りは、溝状（くぼみ）や山状（ふくらみ）に形成することもでき、しかも、線状，点状，面状などに形成することもできる。
また、目盛りは、印刷されたものであってもよい。なお、その目盛りがシールなどに印刷されている場合は、計数凹部３１，３２にそのシールが貼付される。
【００４８】
また、上化粧板部３４の上面には、ほぼ半円状のコップ受け突起３４ｂを形成することができる。このコップ受け突起３４ｂにより、メダル計数ユニット３０をメダルの計数に使用しない場合には、飲み物を入れたコップ（図示省略）を、メダル計数ユニット３０の上に安定した状態で載置することができる。
【００４９】
そして、メダル計数ユニット３０をスロットマシンＳＭに取り付ける場合に、ユニット取付枠部２０（図２）にメダル計数ユニット３０の手前化粧板部３３が手前側になるようにして装着する。次いで、左右のネジ孔３７からそれぞれ支持ピン３６（図４）を螺入し、支持ピン３６の平滑部３６ｂを支持穴３５に挿入して、メダル計数ユニット３０を回転又は回動可能に取り付ける。
【００５０】
次に、図５（Ａ），（Ｂ）を参照しつつ、灰皿ユニット４０を説明する。
灰皿ユニット４０は、灰皿凹部４１と、手前化粧板部４２と、上化粧板部４３とを備えてなる。
灰皿ユニット４０の外形寸法はメダル計数ユニット３０と同一であり、相違点は灰皿凹部４１の寸法だけである。
【００５１】
灰皿凹部４１は、略矩形（たとえば、正方形など）に形成でき、その寸法は、長さＬ２が４５ｍｍ、幅Ｗ２が５０ｍｍ、深さＤ２が２０ｍｍとすることができる。灰皿機能を考慮して、灰皿凹部４１は大きい方が好ましい。
４４は支持ピン３６を挿入する支持穴であり、メダル計数ユニット３０の支持穴３５と同一位置に形成してある。４３ａはユニット取付枠部２０に掛止する掛止突起である。
【００５２】
次に、本実施形態のスロットマシンについての作用を、図１、図２、図３（Ａ），（Ｂ）、図６を参照しつつ説明する。
遊技客が遊技中に、メダルＭＤを５０枚だけ（１０００円分）、確保するものと仮定する。
図１において、メダルＭＤが受け皿本体１０に山盛りになった場合には、遊技客は、数十枚のメダルＭＤを掴んで、図３（Ａ），（Ｂ）に示すように、例えば、第１の計数凹部３１に横重ね式で重ね合わせていく。
【００５３】
やがて、第１の計数凹部３１が満杯に近くなると、メダル間の隙間が狭くなるので、最後の一枚は、押し込むようにする。すると、第１の計数凹部３１には、２５枚のメダルが横重ねされる。
同様に、第２の計数凹部３２にも満杯になるまで、メダルＭＤを横重ねする。このようにすれば、第１，第２の計数凹部３１，３２のメダル合計が５０枚となる。
【００５４】
そして、遊技客がメダル計数ユニット３０から５０枚のメダルＭＤを取り出す場合には、図６に示すように、遊技客の人差し指ＦＧの先端をメダル計数ユニット３０の底部に当てる。そして、メダル計数ユニット３０を押し上げると、メダル計数ユニット３０は（同図においては、時計方向に）回転又は回動し、満杯のメダルは遊技客の手の平に落下する。この場合、遊技客の片手（例えば、左手）だけでメダルを取り出すことが可能であるが、メダルが床に落下しないように、右手を添えておいてもよい。
【００５５】
そして、５０枚のメダルを先ず確保し（例えば、ズボンのポケットに入れる）、引き続き受け皿本体１０に山積みされている残りのメダルで、遊技を継続する。このようにすれば、帰宅の電車賃等の最低限の１０００円分のメダルを確保できるので、残りのメダルで心置きなく、遊技を楽しむことができる。
【００５６】
なお、図１や図３においては、計数凹部を二つ設けてあるが、計数凹部は二つに限るものではなく、たとえば、一つや三つ以上であってもよい。
また、図１においては、メダル計数ユニットを一つのみ設けてあるが、メダル計数ユニットは一つに限るものではなく、複数設けることもできる。
【００５７】
さらに、同図においては、メダル計数ユニットが受け皿部に向かって左側に設けられているが、メダル計数ユニットの設置位置は受け皿部に向かって左側に限るものではなく、例えば、受け皿部の右側や下側、メダル投入口付近など、スロットマシン本体に接する位置又は近傍に設けることもできる。
【００５８】
［実施形態２］
本実施形態は、メダルを上方向又は斜め上方向に積み上げる積重ね式のメダル計数ユニットが備えられたスロットマシンの場合である。
図７は、積重ね式のメダル計数ユニットを装着したスロットマシンの要部斜視図、図８は、積重ね式のメダル計数ユニットの平面図、図９は、積重ね式のメダル計数ユニットの側面図である。
【００５９】
図７〜図９に示すように、積重ね式のメダル計数ユニット５０は、第１の積重ね孔５１と、第２の積重ね孔５２と、手前化粧板部５３と、上化粧板部５４とを備えてなる。
メダル計数ユニット５０の平面図上の外形および支持穴５５の位置は、横重ね式のメダル計数ユニット３０の場合と同様である。
【００６０】
第１の積重ね孔５１又は第２の積重ね孔５２は、それぞれ円筒形状又は角柱形状に形成されており、それら円筒又は角柱の内部空間にメダルＭＤが投入されるようになっている。
各積重ね孔５１，５２の内部においては、一枚又は二枚以上のメダルＭＤが、上方向又は斜め上方向に向かって積み上げられるように積層される。
【００６１】
各積重ね孔５１，５２は、それぞれ同一形状（同一寸法）とすることができる。
積重ね孔５１，５２の径（積重ね孔５１，５２が円筒形状の場合は、その直径）は、たとえば２５．１ｍｍとすることができる。これは、メダルの直径（２５ｍｍ）よりやや大きい径である。
積重ね孔５１，５２の深さは、たとえば４０ｍｍとすることができる。これは、２５枚のメダルＭＤを投入すると、最上位のメダルの上面が、上化粧板部５４の上面と同一となる深さである。
【００６２】
積重ね孔５１，５２の内面には、メダルＭＤの枚数を一見してわかるように、目盛りを付すこともできる。
この目盛りは、所定枚数（一枚又は二枚以上）ごとに付すことができる。また、枚数を示す数字を添えることもできる。
【００６３】
さらに、目盛りは、溝状（くぼみ）や山状（ふくらみ）に形成することもでき、しかも、線状，点状，面状などに形成することもできる。
また、目盛りは、印刷されたものであってもよい。なお、その目盛りがシールなどに印刷されている場合は、積重ね孔５１，５２の内面にそのシールが貼付される。
【００６４】
５１ａ（５２ａ）は第１の押し込み孔（第２の押し込み孔）であり、メダル計数ユニット５０をスロットマシンＳＭに装着し、メダルを出そうとして回転又は回動させた場合であって、メダルが引っ掛かって落下しないときに、指先等によりそのメダルを押して落下させるための孔である（後述）。
【００６５】
５５は支持ピン３６を挿入する支持穴であり、横重ね式のメダル計数ユニット３０の支持穴３５と同一位置に形成してある。５４ａは、ユニット取付枠部２０に掛止する掛止突起である。
第１，第２の積重ね孔５１，５２をそれぞれ満杯にすると、合計でメダルは５０枚となる。
【００６６】
上化粧板部５４の上面には、半円状のコップ受け突起５４ｂが形成してある。このコップ受け突起５４ｂにより、メダル計数ユニット５０をメダルの計数に使用している場合であっても、メダルは上化粧板部５４の上面とツライチ（面一）であるので、飲み物を入れたコップ（図示省略）を、メダル計数ユニット５０の上に安定した状態で載置することができる。
【００６７】
このような構成のメダル計数ユニット５０をユニット取付枠部２０の装着し、支持ピン３６で回転又は回動可能に取り付ける。
そして、遊技客がメダル計数ユニット５０から５０枚のメダルＭＤを取り出す場合には、図６に示した場合と同様に、遊技客の人差し指ＦＧの先端をメダル計数ユニット５０の底部に当てる。そして、メダル計数ユニット５０を押し上げると、メダル計数ユニット５０は（同図の場合は、時計方向に）回転又は回動し、満杯のメダルＭＤは遊技客の手の平に落とし込まれる。
【００６８】
また、メダルＭＤが積重ね孔５１，５２の内部に引っ掛かって落下しない場合や、積重ね孔５１，５２にコップの中の飲み物を誤ってこぼしてしまう場合がある。かかる場合には、メダルＭＤが落下し難い場合があるので、遊技客の指またはボールペン等の尖った棒状物を、押し込み孔から差し込めば、引っ掛かり状態を解消することができる。
【００６９】
なお、図７〜図９においては、積重ね孔や押し込み孔をそれぞれ二つずつ設けてあるが、それら積重ね孔や押し込み孔は二つに限るものではなく、たとえば、一つや三つ以上であってもよい。
また、図７においては、メダル計数ユニットを一つのみ設けてあるが、メダル計数ユニットは一つに限るものではなく、複数設けることもできる。
【００７０】
さらに、同図においては、メダル計数ユニットが受け皿部に向かって左側に設けられているが、メダル計数ユニットの設置位置は受け皿部に向かって左側に限るものではなく、例えば、受け皿部の右側や下側、メダル投入口付近など、スロットマシン本体に接する位置又は近傍に設けることもできる。
【００７１】
また、上記実施形態１又は実施形態２においては、スロットマシンがメダルＭＤを計数するための計数ユニットを設けた構成としてあるが、計数ユニットはメダルの計数を対象とするものに限るものではなく、例えば、パチンコ玉を計数対象とすることもできる。
この場合も、計数ユニットは、パチンコ玉を横並びにして載置させるものや、縦に並べて積重ねるものとすることができる。
【産業上の利用可能性】
【００７２】
例えば、家庭等においては１０円玉が大量に貯まる場合がある。メダル計数手段（横重ね式，積重ね式）を、１０円玉を例えば１００枚入れるように構成すれば、家庭用のコイン計数器などに利用可能である。
【図面の簡単な説明】
【００７３】
【図１】横重ね式のメダル計数ユニットを装着したスロットマシンの要部斜視図である。
【図２】ユニット取付枠部の拡大斜視図である。
【図３】同実施形態１における、横重ね式のメダル計数ユニットを示す図であって、（Ａ）は平面図、（Ｂ）は側面図である。
【図４】同実施形態１で使用する、支持ピンの側面図である。
【図５】同実施形態１で使用する、灰皿ユニットを示す図であって、（Ａ）は平面図、（Ｂ）は側面図である。
【図６】同実施形態１において、メダル計数ユニットを回転又は回動させてメダルを取り出す方法を示す概念図である。
【図７】積重ね式のメダル計数ユニットを装着したスロットマシンの要部斜視図である。
【図８】積重ね式のメダル計数ユニットの平面図である。
【図９】積重ね式のメダル計数ユニットの側面図である。
【図１０】従来のスロットマシンの外観斜視図である。
【図１１】従来のメダル計数手段を示す図であって、（Ａ）は要部外観斜視図、（Ｂ）は平面図、（Ｃ）は断面図、（Ｄ）はメダルを並べた場合の平面図、（Ｅ）はメダルを並べた場合の断面図である。
【図１２】従来の受け皿本体の汚れ等の対処手段を示す図であって、（Ａ）は受け皿の平面図、（Ｂ）はメダルの摘み出し方法を示す側断面図である。
【符号の説明】
【００７４】
Ｄ  計数凹部の深さ
Ｄ２  灰皿凹部の深さ
ＦＧ  遊技客の人差し指
ＦＰ  前面パネル部
Ｌ  計数凹部の長さ
Ｌ２  灰皿凹部の長さ
ＭＤ  メダル
ＳＭ  スロットマシン
ＳＨ  スロットマシン本体部
ＵＰ  受け皿部
Ｗ  計数凹部の幅
Ｗ２  灰皿凹部の幅
１０  受け皿本体
２０  ユニット取付枠部
２１  第１の側壁
２２  第２の側壁
２３  内枠
２３ａ  受け部
３０  横重ね式のメダル計数ユニット
３１  第１の計数凹部
３２  第２の計数凹部
３３  手前化粧板部
３４  上化粧板部
３４ａ  掛止突起
３４ｂ  コップ受け突起
３５  支持穴
３６  支持ピン
３６ａ  ネジ部
３６ｂ  平滑部
３７  ネジ孔
４０  灰皿ユニット
４１  灰皿凹部
４２  手前化粧板部
４３  上化粧板部
４３ａ  掛止突起
４４  支持穴
５０  積重ね式のメダル計数ユニット
５１  第１の積重ね孔
５１ａ  第１の押し込み孔
５２  第２の積重ね孔
５２ａ  第１の押し込み孔
５３  手前化粧板部
５４  上化粧板部
５４ａ  掛止突起
５４ｂ  コップ受け突起
５５  支持穴
１１０  受け皿部
１１１  受け皿本体
１１２  灰皿
１１３  メダルの払出口
１２０  回胴ドラム表示部
１３０  操作部
１３１  メダル投入口
１３２  メダルＢＥＴスイッチ
１３３  スタートレバー
１３４（１３４ａ，１３４ｂ，１３４ｃ）  ストップスイッチ
２１０  払出口
２２２  受け皿
２２２ａ  溝
２２３  メダル
３０１  固定受け皿
３０２  皿体
３０３  メダル
３０４  メダル収容部
【図１】
2005080966.tif 000003
【図２】
2005080966.tif 000004
【図３】
2005080966.tif 000005
【図４】
2005080966.tif 000006
【図５】
2005080966.tif 000007
【図６】
2005080966.tif 000008
【図７】
2005080966.tif 000009
【図８】
2005080966.tif 000010
【図９】
2005080966.tif 000011
【図１０】
2005080966.tif 000012
【図１１】
2005080966.tif 000013
【図１２】
2005080966.tif 000014